(57)【特許請求の範囲】
【請求項１】
プラズマ表示パネルの駆動装置から出力される第１出力電圧、第２出力電圧、第３出力電圧が前記プラズマ表示パネルでの過電流によって相応する定格電圧よりも低くなることを感知して、出力制御信号を発生させて前記駆動装置に伝送するプラズマ表示パネルの過電流検出装置において、
バイアス電源端子と制御出力端子との間にコレクタとベースが接続され、接地端子にエミッタが接続されてなり、前記バイアス電源端子からのバイアス電圧により、ベースに印加されるバイアス電圧のレベルに応じて動作するスイッチングトランジスタと、
前記ベースにアノードが接続され前記第１出力電圧の端子にカソードが接続された第１ダイオード、前記ベースにアノードが接続された第２ダイオード、前記ベースにアノードが接続された第３ダイオード、前記第２ダイオードのカソードにアノードが接続され前記第２出力電圧の端子にカソードが接続された第１ツェナーダイオード、前記第３ダイオードのカソードにアノードが接続され前記第３出力電圧の端子にカソードが接続された第２ツェナーダイオードからなり、第１出力電圧、第２出力電圧、第３出力電圧のうちの少なくともいずれか一つが相応する定格電圧よりも低くなると、それに対応した前記第１ダイオード、前記第２ダイオード、または前記第３ダイオードに低くなった電圧を印加して前記ベースのバイアス電圧を変動させることにより、前記スイッチングトランジスタをターンオフ動作させて前記制御出力端子から出力制御信号を発生させる電圧信号発生部と、
前記第１ツェナーダイオード、前記第２ツェナーダイオード、前記第１ツェナーダイオードのアノードと前記エミッタとの間に接続された第１抵抗素子、前記第２ツェナーダイオードのアノードと前記エミッタとの間に接続された第２抵抗素子からなり、第２出力電圧、第３出力電圧のうちの少なくともいずれか一つが相応する定格電圧よりも低くなると、それに対応した前記第１ツェナーダイオードまたは前記第２ツェナーダイオードが順方向にターンオンすることにより、低くなった電圧を前記第１抵抗素子または前記第２抵抗素子を通じて前記エミッタに印加し、エミッタ電位をベース電位よりも高くして前記スイッチングトランジスタのターンオフ動作を遂行するスイッチング支援部と、
を備えたことを特徴とするプラズマ表示パネルの過電流検出装置。
【発明の詳細な説明】
【０００１】
【発明の属する技術分野】
本発明は、プラズマ表示パネルの過電流検出装置に係り、より詳細にはプラズマ表示パネルの駆動装置からの少なくとも第１及び第２出力電圧が前記プラズマ表示パネルでの過電流によって相応する定格電圧より低くなることを感知して、出力制御信号を発生させて駆動装置に伝送するプラズマ表示パネルの過電流検出装置に関する。
【０００２】
【従来の技術】
図２は従来のプラズマ表示パネルの過電流検出装置を示す。
【０００３】
図２を参照すれば、第１入力端子１１に入力された第１出力電圧Vo１は、抵抗素子R１０１、R１０２、R１０３、R１０４によって一定の割合でそのレベルが降下して第１比較器Co１の陰極入力端子(−)に入力される。
【０００４】
第１比較器Co１は、入力された第１出力電圧Vo１が第１基準電圧Vref１より低ければ、プラズマ表示パネル(図示せず)内で過電流が流れることを示すハイ状態の出力制御信号を発生させる。
【０００５】
また、第１比較器Co１は、入力された第１出力電圧Vo１が第１基準電圧Vref１以上であれば、プラズマ表示パネル内で定常電流が流れることを示すロー状態の出力制御信号を発生させる。
【０００６】
第１比較器Co１から発生した出力制御信号は、ダイオードD１１及び制御出力端子SCを通じてプラズマ表示パネルの駆動装置(図示せず)に入力される。
【０００７】
第１入力端子１１と制御出力端子SCとの間に直列連結された素子D１３、R１０９、ZD１１、ZD１２、ZD１３は、第１出力電圧Vo１が非正常的に高くなる時にも上限レベルの第１出力電圧Vo１だけ入力させて回路を保護する。参照符号Gは接地端子を示す。
【０００８】
同じく、第２入力端子１２に入力された第２出力電圧Vo２は、抵抗素子R１０５、R１０６、R１０７、R１０８によって一定の割合でそのレベルが降下して第２比較器Co２の陰極入力端子(−)に入力される。
【０００９】
第２比較器Co２は、入力された第２出力電圧Vo２が第２基準電圧Vref２より低ければ、プラズマ表示パネル内で過電流が流れることを知らせるハイ状態の出力制御信号を発生させる。
【００１０】
また、第２比較器Co２は、入力された第２出力電圧Vo２が第２基準電圧Vref２以上であれば、プラズマ表示パネル内で定常電流が流れることを示すロー状態の出力制御信号を発生させる。
【００１１】
第２比較器Co２から発生した出力制御信号は、ダイオードD１２及び制御出力端子SCを通じてプラズマ表示パネルの駆動装置に入力される。
【００１２】
第２入力端子１２と制御出力端子SCとの間に直列連結された素子D１４、D１５、ZD１５、ZD１６、ZD１７、ZD１８、R１１０、D１６は、第２出力電圧Vo２が非正常的に高くなる時にも上限レベルの第２出力電圧Vo２だけ入力させて回路を保護する。
【００１３】
しかしながら、前記のように、従来の過電流検出装置は、各出力電圧Vo１、Vo２に対して比較器Co１、Co２を使用することによって次のような問題点を有する。
（１）各比較器Co１、Co２の伝達遅延時間が相対的に延びてプラズマ表示パネルに流れる過電流を迅速に検出できない。
（２）各出力電圧Vo１、Vo２を個別的に比較するので、駆動電圧のレベルが多様になるプラズマ表示パネルに適していない。
（３）各比較器Co１、Co２の基準電圧Vref１、Vref２を正確に発生させなければならないので、装置の回路構成が相対的に複雑となる。
【００１４】
【発明が解決しようとする課題】
そこで、本発明は、プラズマ表示パネルの駆動電圧のレベルが多様になっても簡単な回路としてプラズマ表示パネルに流れる過電流を迅速に検出できるプラズマ表示パネルの過電流検出装置を提供することを目的とする。
【００１５】
【課題を解決するための手段】
前記目的を達成するための本発明の過電流検出装置は、プラズマ表示パネルの駆動装置から出力される第１出力電圧、第２出力電圧、第３出力電圧が前記プラズマ表示パネルでの過電流によって相応する定格電圧よりも低くなることを感知して、出力制御信号を発生させて前記駆動装置に伝送する装置である。
【００１６】
この装置はスイッチングトランジスタ、電圧信号発生部及びスイッチング支援部を含む。
【００１７】
前記スイッチングトランジスタは、バイアス電源端子と制御出力端子との間にコレクタとベースが接続され、接地端子にエミッタが接続されてなり、前記バイアス電源端子からのバイアス電圧により、ベースに印加されるバイアス電圧のレベルに応じて動作する。
【００１８】
前記電圧信号発生部は、前記ベースにアノードが接続され前記第１出力電圧の端子にカソードが接続された第１ダイオード、前記ベースにアノードが接続された第２ダイオード、前記ベースにアノードが接続された第３ダイオード、前記第２ダイオードのカソードにアノードが接続され前記第２出力電圧の端子にカソードが接続された第１ツェナーダイオード、前記第３ダイオードのカソードにアノードが接続され前記第３出力電圧の端子にカソードが接続された第２ツェナーダイオードからなり、第１出力電圧、第２出力電圧、第３出力電圧のうちの少なくともいずれか一つが相応する定格電圧よりも低くなると、それに対応した前記第１ダイオード、前記第２ダイオード、または前記第３ダイオードに低くなった電圧を印加して前記ベースのバイアス電圧を変動させることにより、前記スイッチングトランジスタをターンオフ動作させて前記制御出力端子から出力制御信号を発生させる。
【００１９】
前記スイッチング支援部は、前記第１ツェナーダイオード、前記第２ツェナーダイオード、前記第１ツェナーダイオードのアノードと前記エミッタとの間に接続された第１抵抗素子、前記第２ツェナーダイオードのアノードと前記エミッタとの間に接続された第２抵抗素子からなり、第２出力電圧、第３出力電圧のうちの少なくともいずれか一つが相応する定格電圧よりも低くなると、それに対応した前記第１ツェナーダイオードまたは前記第２ツェナーダイオードが順方向にターンオンすることにより、低くなった電圧を前記第１抵抗素子または前記第２抵抗素子を通じて前記エミッタに印加し、エミッタ電位をベース電位よりも高くして前記スイッチングトランジスタのターンオフ動作を遂行する。
【００２０】
【発明の実施の形態】
以下、添付した図面を参照して本発明の望ましい実施の形態に対して詳細に説明する。
【００２１】
図１は、本発明の一実施の形態に係るプラズマ表示パネルの過電流検出装置を示す。
【００２２】
図１を参照すれば、本発明の過電流検出装置は、プラズマ表示パネル(図示せず)の駆動装置(図示せず)からの第１、第２及び第３出力電圧Vo１、Vo２、Vo３がプラズマ表示パネルでの過電流によって相応する定格電圧より低くなることを感知して、出力制御信号を発生させて駆動装置に伝送する装置である。
【００２３】
この装置は、スイッチングトランジスタTRs、電圧信号発生部２１及びスイッチング支援部ZD２１、ZD２２、R２１、R２２を含む。ここで、スイッチングトランジスタTRsはNPN型両極性トランジスタである。
【００２４】
バイアス電源端子２２に印加された＋１８V(ボルト)のバイアス電圧Vccは、抵抗素子R２３、VRを通じて一定の割合で降下し、降下したバイアス電圧がスイッチングトランジスタTRsのコレクタCに印加される。
【００２５】
スイッチングトランジスタTRsのエミッタEは接地端子Gを通じて接地される。
【００２６】
このスイッチングトランジスタTRsは、そのベースBに印加される電圧のレベルに従って動作することによってコレクタCを通じて出力制御信号を発生させる。
【００２７】
発生された出力制御信号は、ダイオードD２４及び制御出力端子SCを通じてプラズマ表示パネルの駆動装置に入力される。
【００２８】
電圧信号発生部２１は第１ダイオードD２１、第２ダイオードD２２、第３ダイオードD２３、第１ツェナーダイオードZD２１及び第２ツェナーダイオードZD２２を含む。
【００２９】
第１ダイオードD２１のアノードはスイッチングトランジスタTRsのベースBと連結され、そのカソードは第１出力電圧Vo１の端子２３１と連結される。第２ダイオードD２２のアノードはスイッチングトランジスタTRsのベースと連結される。第１ツェナーダイオードZD２１のアノードは第２ダイオードD２２のカソードと連結され、第１ツェナーダイオードZD２１のカソードは第２出力電圧Vo２の端子２３２と連結される。この第１ツェナーダイオードZD２１は第２出力電圧Vo２に相応して低くなった電圧を第２ダイオードD２２のカソードに印加する。
【００３０】
第３ダイオードD２３のアノードはスイッチングトランジスタTRsのベースと連結される。第２ツェナーダイオードZD２２のアノードは第３ダイオードD２３のカソードと連結され、第２ツェナーダイオードZD２２のカソードは第３出力電圧Vo３の端子２３３と連結される。この第２ツェナーダイオードZD２２は第３出力電圧Vo３に相応して低くなった電圧を第３ダイオードD２３のカソードに印加する。
【００３１】
このように、電圧信号発生部２１は、スイッチングトランジスタTRsのベースBと第１出力電圧Vo１の端子２３１、スイッチングトランジスタTRsのベースBと第２出力電圧Vo２の端子２３２との間、そしてスイッチングトランジスタTRsのベースBと第３出力電圧Vo３の端子２３３との間に各々連結される。この電圧信号発生部２１は、第１、第２及び第３出力電圧Vo１、Vo２、Vo３が変動されるにつれてスイッチングトランジスタTRsのベースBのバイアス電圧を変動させる。
【００３２】
スイッチング支援部ZD２１、ZD２２、R２１、R２２は、相対的に高い第２及び第３出力電圧の端子２３２、２３３とスイッチングトランジスタTRsのエミッタEとの間に連結される。
【００３３】
即ち、スイッチング支援部ZD２１、ZD２２、R２１、R２２は電圧設定用抵抗素子R２１、R２２及び前記ツェナーダイオードZD２１、ZD２２を含む。
【００３４】
電圧設定用抵抗素子R２１、R２２は、相応するツェナーダイオードZD２１、ZD２２のアノードとスイッチングトランジスタTRsのエミッタEとの間に連結される。
【００３５】
スイッチング支援部ZD２１、ZD２２、R２１、R２２の動作において、第２及び第３出力電圧Vo２、Vo３中で少なくとも何れか一つが相応する定格電圧より低くなれば、相応するツェナーダイオードZD２１、ZD２２が順方向にターンオンされる。
【００３６】
ツェナーダイオードZD２１、ZD２２が順方向にターンオンされる場合、第２及び第３出力電圧Vo２、Vo３中で低くなった電圧がスイッチングトランジスタTRsのエミッタEに印加されるので、スイッチングトランジスタTRsのエミッタEの電位がベースBの電位より高くなる。これにより、スイッチングトランジスタTRsのターンオフ動作がより正確に遂行されうるので、スイッチングトランジスタTRsの誤動作を防止できる。
【００３７】
第２入力端子２３２と制御出力端子SCとの間に直列連結された素子D２５、R２４、ZD２３、ZD２４は、第２出力電圧Vo２が非正常的に高くなる時にも上限レベルの第２出力電圧Vo２だけ入力されるようにして回路を保護する。
【００３８】
これと同じように、第３入力端子２３３と制御出力端子SCとの間に直列連結された素子D２６、R２５、ZD２５、ZD２６、ZD２７、ZD２８、ZD２９は、第３出力電圧Vo３が非正常的に高くなる時にも上限レベルの第３出力電圧Vo３だけ入力されるようにして回路を保護する。
【００３９】
【発明の効果】
以上説明したように、本発明に係るプラズマ表示パネルの過電流検出装置によれば、次のような効果を有する。
（１）スイッチングトランジスタを用いるので、その伝達遅延時間が相対的に短くなってプラズマ表示パネルに流れる過電流を迅速に検出できる。
（２）プラズマ表示パネルの駆動用出力電圧がスイッチングトランジスタによって統合的にモニタリングされるので、駆動電圧のレベルが多様になるプラズマ表示パネルに適している。
（３）スイッチングトランジスタを用いることによって比較用基準電圧を発生させないので、装置の回路構成が相対的に単純になる。
（４）スイッチング支援部によってスイッチングトランジスタの誤動作が防止されるので、より正確な過電流検出が遂行されうる。
【００４０】
なお、本発明は、前記実施の形態に限られずに特許請求の範囲に記載された発明の思想及び範囲内で当業者によって変形及び改良されうる。
【図面の簡単な説明】
【図１】本発明の一実施の形態に係るプラズマ表示パネルの過電流検出装置を示す回路図である。
【図２】従来のプラズマ表示パネルの過電流検出装置を示す回路図である。
【符号の説明】
Vo１、Vo２、Vo３  第１、第２及び第３出力電圧
TRs  スイッチングトランジスタ
２１  電圧信号発生部
ZD２１、ZD２２、R２１、R２２  スイッチング支援部
R２１、R２２  電圧設定用抵抗素子
R２３、VR  抵抗素子
B  ベース
C  コレクタ
E  エミッタ
G  接地端子
D２１、D２２、D２３  第１、第２、第３ダイオード
ZD２１、ZD２２  第１、第２ツェナーダイオード
２３１、２３２、２３３  端子
【図１】
0003889917.tif 000002
【図２】
0003889917.tif 000003